(57)【要約】【課題】駅周辺の店舗、施設等の情報を調べたいが何処の駅周辺にあるか知らず、その為、現在利用している路線の進行方向にある駅を現在位置から近い順に調べたいと思った場合、従来のサービス情報検索システムでは、駅名を複数回入力する必要がある。【解決手段】利用者の現在の位置情報から複数個の最寄駅候補を抽出し、路線情報と位置情報を用いて絞り込みを行い、最終的に得られた最寄駅と、利用者の入場駅間をつなぐ経路を作成し、進行方向にある複数個の駅を取得し、駅周辺のサービス情報を提供する。【選択図】  図１
2004322942.tif 000002
【特許請求の範囲】
【請求項１】
駅の住所情報が格納されている地図ＤＢと、駅情報と路線情報が格納されている路線ＤＢと、駅周辺のサービス情報が格納されているサービス情報ＤＢと、前記サービス情報を検索する為の検索キーワードを利用者端末から受信する手段と、利用者の現在位置情報を前記利用者端末又は位置情報取得機器から受信する手段と、利用者の入場駅情報を前記利用者端末から受信する手段と、前記位置情報と地図ＤＢを用いて、前記現在位置の周辺にある駅識別子を検索する最寄駅抽出手段と、路線ＤＢを用いて、前記最寄駅抽出手段で検索された駅から路線識別子を検索する路線抽出手段と、前記入場駅情報と、前記現在位置情報と、前記駅識別子と、前記路線識別子と、前記地図ＤＢと、前記路線ＤＢを用いて、前記利用者が利用する乗物の進行方向にある駅名を検索する路線進行方向駅名取得手段と、前記乗物の進行方向にある駅識別子と、前記検索キーワードと、サービス情報ＤＢを用いて、前記乗物の進行方向にある駅周辺のサービス情報を検索するサービス情報取得手段と、検索された前記サービス情報を前記利用者端末へ配信する手段を備えることを特徴とするコンテンツ配信サーバ。
【請求項２】
請求項１記載のコンテンツ配信サーバにおいて、地図ＤＢと、路線ＤＢと、サービス情報ＤＢの全部または一部を外部の装置から受信する手段を備えること特徴とするコンテンツ配信サーバ。
【請求項３】
入力装置と、表示装置と、内部記憶領域と、外部のネットワークと情報の送受信を行う為の通信装置と、近距離無線通信機能を備えた非接触ＩＣカードとを保持可能な携帯情報端末であって、改札機を通過する際に、前記携帯情報端末内に格納されている個人情報を改札機に送信する手段と、改札機から入場駅情報を受信する手段と、受信された入場駅の情報を内部記憶領域に保持する手段と、外部からサービス情報を検索する為のサービスＩＤを受信する手段と、前記サービスＩＤと前記入場駅情報をネットワーク接続されているサービス検索サーバに送信する手段と、サービス検索サーバのサービス検索結果を受信する手段と、当該サービス検索結果を表示する手段を備えることを特徴とする携帯情報端末。
【請求項４】
利用者にコンテンツを配信するための、コンピュータによるコンテンツ配信方法において、サービス情報を検索する為の検索キーワードと、利用者の現在位置情報と、利用者の入場駅情報を利用者端末から受信し、前記現在位置情報と地図ＤＢを用いて、現在位置の周辺にある駅識別子を検索する最寄駅抽出ステップと、路線ＤＢを用いて、前記最寄駅抽出ステップで検索された駅から路線識別子を検索する路線抽出ステップと、前記入場駅情報と、前記位置情報と、前記駅識別子と、前記路線識別子と、前記地図ＤＢと、前記路線ＤＢを用いて、前記利用者が利用する乗物の進行方向にある駅名を取得するステップと、前記乗物の進行方向にある駅名と、前記検索キーワードと、サービス情報ＤＢを用いて、乗物の進行方向にある駅周辺のサービス情報を取得するサービス情報取得ステップを備えることを特徴とするコンテンツ配信方法。
【請求項５】
請求項４におけるコンテンツ配信方法において、前記乗物の進行方向にある駅名を取得するステップは、複数個の最寄駅候補に対し、路線情報と位置情報を用いて駅を絞り込み、最後に残った駅を最寄駅と設定し、前記利用者の入場駅と最寄駅を結ぶ最短経路を作成し、前記最短経路から路線進行方向を判定し、利用者にとって進行方向となる駅を特定することを特徴するコンテンツ配信方法。
【発明の詳細な説明】
【０００１】
【発明の属する技術分野】
本発明は、サーバ上に保持されたサービス情報ＤＢに対し、携帯情報端末を用いてサービス情報を検索するシステムに関する。
【０００２】
【従来の技術】
現在、インターネット上で行われているサービスとして、指定する駅周辺の店舗、施設等の情報を検索キーワードと駅名を入力することで、検索できるサービスが提供されている。このサービスは、サーバ上に保持された「店舗、施設等の情報を保有するサービス情報ＤＢ」に対して、利用者が携帯情報端末を用いて、検索キーワードと駅名を入力、送信することにより、サーバ側で入力された駅に対する、付近の店舗、施設等の中から、検索キーワードに該当する情報を取得し、携帯端末に上記情報を送信することができるようになっている。
【０００３】
【特許文献１】
特開２００１−１１８１８０号公報
【０００４】
【発明が解決しようとする課題】
しかしながら、インターネット上で行われている従来のサービス情報検索システムでは、利用者は情報を入手したい駅名を入力する必要がある、これは利用者にとって降車駅が予め決まっており、降車駅付近の情報に限定して入手したい場合には有益である。しかし、店舗、施設等の情報を調べたいが何処の駅周辺にあるか知らず、その為、現在利用している路線の進行方向にある駅周辺の情報を現在位置から近い順に調べたいと思った場合、従来のサービス情報検索システムでは、複数の駅名を入力しなければならない可能性がある。
【０００５】
本発明の目的は、サービス情報検索システム内に利用者が乗車している電車の、路線進行方向を判定する処理機能を持たせることで、駅名を入力させることなしに、路線進行方向の１又は複数の駅を特定し、その駅周辺の情報を提供するシステム及び方法を提供することにある。
【０００６】
【課題を解決するための手段】
上記目的を達成するために、本発明によるサービス情報検索システムを実現するコンテンツ配信サーバは、ある地域内の駅や建物等の住所情報が格納されている地図ＤＢと、駅情報と路線情報と時刻表情報が格納されている路線ＤＢと、駅周辺のサービス情報が格納されているサービス情報ＤＢを内部記憶領域に保持し、また外部装置から、サービス情報を検索する為のサービスＩＤを受信する手段と、利用者の現在位置情報を受信する手段と、利用者の入場駅情報を受信する手段を保持し、位置情報と地図ＤＢを用いて、現在位置の周辺にある駅名を取得する最寄駅抽出手段と、前記最寄駅抽出手段で取得した駅名と、路線ＤＢを用いて、前記駅から発着する路線名を取得する路線抽出手段と、前記入場駅情報と、前記位置情報と、前記「最寄駅抽出手段」で取得した駅名と、「路線抽出手段」で取得した路線名と、地図ＤＢと、路線ＤＢを用いて、利用者が乗車している電車の進行方向にある駅名を取得する路線進行方向駅名取得手段と、前記「電車の進行方向にある駅名」と、サービス情報ＤＢを用いて、電車の進行方向にある駅周辺のサービス情報を取得し、前記取得したサービス情報を配信する手段を備えることを特徴とする。
【０００７】
また、サービス検索を行う際に、進行方向の駅の決定方法は、複数個の最寄駅候補に対して、路線情報と位置情報を用いて駅の絞り込みを行い、残った駅の数に応じて処理を変更し、最終的に得られた駅と入場駅間の経路を検索することにより、利用者にとって進行方向となる駅を決定することを特徴とする。
【０００８】
また、本発明による携帯情報端末は、入力装置と、表示装置と、内部記憶領域と、外部のネットワークと情報の送受信を行う為のアンテナと、近距離無線通信機能を備えた非接触ＩＣカードを内部に保持する携帯情報端末であって、改札機を通過する際に、前記携帯情報端末内に格納されている個人情報を改札機に送信する手段と、改札機から入場駅情報を受信する手段と、受信された入場駅の情報を内部記憶領域に保持する手段と、外部からサービス情報を検索する為のサービスＩＤを受信する手段と、前記サービスＩＤと前記入場駅情報をネットワーク接続されているサービス検索サーバに送信する手段と、サービス検索サーバのサービス検索結果を受信する手段と、当該サービス検索結果を表示する手段を備えることを特徴とする。
【０００９】
【発明の実施の形態】
以下、本発明の実施の形態について、図面を用いて詳細に説明する。
【００１０】
ここで述べるサービス情報検索システムは、利用者が駅構内にいる、もしくは電車に乗車している際に、進行方向にある駅周辺のサービス情報を利用者に提供することを可能とする。
【００１１】
図１に、本サービス情報検索システムの概要を示す。
【００１２】
サービス情報検索システムの利用者ＴはＡ駅から入場し、Ｄ駅方面に向かっており、現在、Ａ駅とＢ駅の間を電車に乗って移動しているとする。Ｔは突然イタリア料理が食べたくなったが、進行方向の何処の駅にイタリア料理店があるかわからないとする。
【００１３】
そこでＴは、本システムにアクセスして、携帯情報端末１００上に表示される本システム専用のＧＵＩ画面に対し、「イタリア料理」というサービスＩＤを入力し（図１（１））、コンテンツ配信サーバ４００に送信する（図１（２））。ここでサービスＩＤとは、サービス情報を検索する為のキーワードである。
【００１４】
コンテンツ配信サーバ４００では、サービスＩＤが入力されたことをきっかけに、Ｔの保有する携帯情報端末１００の位置情報を、ＧＰＳ（Ｇｌｏｂａｌ  Ｐｏｓｉｔｉｏｎｉｎｇ  Ｓｙｓｔｅｍ）からなる位置情報取得機器３００に問い合わせて取得する（図１（３）、（４））。尚、この位置情報は、携帯情報端末１０００が位置情報取得機器３００に問い合わせ、取得し、携帯情報端末１０００が、コンテンツ配信サーバ４００へ送信されてもよい。
【００１５】
次に、コンテンツ配信サーバ４００は、取得した位置情報に対し、付近の駅や建物等の住所情報が格納されている地図ＤＢ４１０を用いて、Ｔの現在位置からある一定の範囲内にある駅を検索し（図１（５））、結果としてＡ駅とＢ駅を検出する。
【００１６】
次に、検索されたＡ駅とＢ駅に対し、駅情報と路線情報と時刻表情報が格納されている路線ＤＢ４２０を用いて、Ａ駅とＢ駅から発着となる路線を検索し（図１（６））、検索結果としてＹ線を検出する。この時点でシステムは、Ｔは電車でＹ線を移動しており、最寄駅はＡ駅とＢ駅だという情報を取得している。
【００１７】
次に、Ｔが入場駅であるＡ駅の自動改札機２００を通った時に、コンテンツ配信サーバ４００に予め送信しておいた「入場駅＝Ａ駅」という入場駅情報４３０と、前記検出された「路線名＝Ｙ線」という情報と、路線ＤＢ４２０に格納されている、路線を構成する駅情報を用いて、現在の位置情報から電車の路線進行方向を特定する。つまり、Ｙ線上で、現在位置を基準に、Ａ駅の位置情報と反対方向が進行方向である。進行方向にある駅名を取得する（図１（７））。これにより、Ｔの現在地に対して、Ｙ線の進行方向に沿った駅名は、近い順番にＢ駅、Ｃ駅、Ｄ駅、・・・、ということがわかる。尚、入場駅情報４３０は、コンテンツ配信サーバ４００が、自動改札機２００を管理するシステムへ問い合わせて、取得されてもよい。
【００１８】
次に、最寄の駅であるＢ駅に対して、駅周辺のサービス情報が格納されているサービス情報ＤＢ４４０を用いて、Ｂ駅周辺のイタリア料理店の情報を検索し、サービス一覧情報のコンテンツを作成する（図１（８））。作成されたコンテンツは、Ｔが所持する携帯情報端末１００に送信され（図１（９））、携帯情報端末１００上の表示画面に表示される（図１（１０））。Ｔは、その画面を見て、イタリア料理店がＢ駅周辺にあるという情報を得ることができる。
【００１９】
ここでポイントなのは、利用者が乗車している電車の進行方向にある駅に関する駅周辺の情報を知りたい場合、利用者が携帯情報端末１００に、検索条件として駅名を入力する手間を省くことができるという点である。また、利用者が路線進行方向にある駅名を覚えてない場合でも、駅名を検索する手間が省かれる為、有益である。
【００２０】
図２に、本システムの構成を示す。
【００２１】
本システムは、携帯情報端末１００、コンテンツ配信サーバ４００、位置情報取得機器３００および自動改札機２００により構成される。
【００２２】
携帯情報端末１００は、内蔵された入力装置１１７を介して入力されたサービスＩＤを、コンテンツ配信サーバ４００に送信する。また、逆にコンテンツ配信サーバ４００から送信されたコンテンツを、内蔵された表示装置１１６を用いて表示する。
【００２３】
携帯情報端末１００は、携帯電話部分１１０および非接触ＩＣカード１２０から構成される。この例では、携帯情報端末１００が非接触ＩＣカード１２０を内蔵する形態を示している。すなわち、携帯情報端末１００は、携帯電話部分１１０の他に、非接触ＩＣカード１２０と、携帯電話・ＩＣカード間通信インターフェース１３０を有する。この代わりに、非接触ＩＣカード１２０が携帯情報端末１００と別体で、近接または挿入して利用される形態であってもよい。
【００２４】
携帯電話部分１１０は、本システムを実現する最小構成として、アンテナ１１１、変復調器１１２、制御部１１３、メモリ１１５、表示装置１１６、および入力装置１１７を備えている。制御部１１３は、ＣＰＵ１１４を有している。
【００２５】
非接触ＩＣカード１２０は、近接通信用の通信装置を備えており、自動改札機２００に備え付けられた通信装置を介して、自動改札機２００とデータの送受信を行う。
【００２６】
コンテンツ配信サーバ４００は、入場駅情報４３０、地図ＤＢ４１０、路線ＤＢ４２０とサービス情報ＤＢ４４０を内部記憶領域に保持する。入場駅情報４３０は、自動改札機２００から送信される個人情報と入場駅名が対になって格納されているデータ保存領域である。地図ＤＢ４１０は、付近の駅や建物等の住所情報が格納されているデータ保存領域である。路線ＤＢ４２０は、各駅から発着する路線名の情報と、路線を構成する駅情報と時刻表情報が格納されているデータ保存領域である。サービス情報ＤＢ４４０は、各駅周辺のサービス情報が格納されているデータ保存領域である。
【００２７】
また、コンテンツ配信サーバ４００は、「最寄駅抽出手段」４５０、「路線抽出手段」４６０、「路線進行方向駅名取得手段」４７０と「コンテンツ作成手段」４８０の４つの処理プログラムを持つ。「最寄駅抽出手段」４５０では、地図ＤＢ４１０を用いて、現在位置周辺の駅名を取得する。「路線抽出手段」４６０では、路線ＤＢ４２０を用いて、「最寄駅抽出手段」４５０で得られた駅から発着する路線名を取得する。該当する路線名が複数個ある場合は、路線名全部を取り出した路線リストを作成し、携帯情報端末１００に配信し、利用者に路線名の選択を要求する。「路線進行方向駅名取得手段」４７０では、入場駅情報４３０に保持されている入場駅名と、「路線抽出手段」４６０で作成した路線名と、「最寄駅抽出手段」４５０で作成した最寄駅候補と、現在の位置情報と、地図ＤＢ４１０を用いて、利用者の路線に対する進行方向の判定を行い、路線進行方向にある駅名を取得する。「コンテンツ作成手段」４８０では、「路線進行方向駅名取得手段」４７０で得られた駅名と、利用者が入力したサービスＩＤに対して、サービス情報ＤＢ４４０を用いて、該当する駅周辺のサービス一覧となるコンテンツを生成する。
【００２８】
位置情報取得機器３００は、携帯情報端末１００の位置情報を取得する。位置情報を取得する方法としては、ＧＰＳを用いたり、駅構内にセンサーを配置したりするなどの従来技術で実現できる為、詳しい説明は省略する。
【００２９】
自動改札機２００は、利用者が改札を通過する際に、入場駅情報４３０を作成し、コンテンツ配信サーバ４００側に送信する。
【００３０】
なお、本明細書において、「システム」とは複数の装置が論理的に集合した物をいい、各構成の装置が同一筐体中にあるか否かは問わない。
【００３１】
図３に、本システムにおいて、利用者がサービス一覧情報を取得するまでの処理の流れを示す。図３の処理において、利用者が駅構内への入場時に自動改札機２００を通過する際、携帯情報端末１００から自動改札機２００に、個人情報を送信すると、自動改札機２００で個人情報と入場駅名を対にした入場駅情報を作成し、前記入場駅情報は自動改札機２００からコンテンツ配信サーバ４００に送信され、コンテンツ配信サーバ４００内の入場駅情報４３０に保存される。
【００３２】
利用者がサービス一覧情報を取得する場合、携帯情報端末１００の入力装置１１７からサービスＩＤを入力し、アンテナ１１１および携帯電話無線基地局５００経由で携帯電話網やインターネット等の公衆回線を経てコンテンツ配信サーバ４００に送信する。
【００３３】
コンテンツ配信サーバ４００はサービスＩＤを受け取ったことをトリガーにして、「最寄駅抽出手段」４５０に処理を命令し、利用者の位置情報から地図ＤＢ４１０を参照して、最寄駅を抽出し、抽出された駅を最寄駅候補として設定する。
【００３４】
次に、「路線抽出手段」４６０に処理を命令し、「最寄駅抽出手段」４５０で作成された最寄駅候補から、路線ＤＢ４２０を参照して、上記最寄駅候補から発着する路線を抽出し、検出された路線を路線情報として設定する。
【００３５】
次に、「路線方向進行方向駅名取得手段」４７０に処理を命令し、「最寄駅抽出手段」４５０で作成された最寄駅候補と、「路線抽出手段」４６０で作成された路線情報と、入場駅情報４３０に保存されている入場駅名と、位置情報を用いて、路線に対する進行方向を判定し、最寄駅を含む進行方向の駅名を取得する。
【００３６】
進行方向の駅名が取得されたら、「コンテンツ作成手段」４８０に処理を命令し、前記進行方向の駅名と、サービスＩＤからサービス情報ＤＢ４４０を参照して、駅名周辺においてサービスＩＤに該当するサービス情報を取得する。前記サービス情報は携帯情報端末１００に送信され、内部の表示装置１１６を用いて表示される。
【００３７】
図４に「最寄駅抽出手段」４５０における処理アルゴリズムを示す。
【００３８】
「最寄駅抽出手段」４５０では、コンテンツ配信サーバ４００に接続された位置取得機器３００から、携帯情報端末１００の現在の位置情報を読み込み（Ｓ１１）、取得した位置情報と地図ＤＢ４１０を用いて、位置情報を中心とする一定の範囲内にある駅名をすべて抽出する（Ｓ１２）。ここで言う「一定の範囲」とは、地図ＤＢ４１０において、現在の位置情報を中心に「半径５ｋｍの円に囲まれた範囲」とか、「１辺が５ｋｍの四角形に囲まれた範囲」とか、もしくは、地図ＤＢにおいて、予め地図情報を何らかのルールに基づき、ある一定のエリアとして切り出された範囲を意味する。上記範囲指定の方法は従来技術で実現できる為、詳しい説明は省略する。
【００３９】
抽出された駅の数をカウントし（Ｓ１３）、抽出された駅の数が１箇所以上の場合、得られた駅名を最寄駅候補として設定する（Ｓ１５）。この時、最寄駅候補は複数個あってもよい。また、抽出された駅の数が０箇所の場合、検索対象となる範囲を広げて、駅を再検索する（Ｓ１４）。
【００４０】
図５に「路線抽出手段」４６０における処理アルゴリズムを示す。
【００４１】
「路線抽出手段」４６０では、「最寄駅抽出手段」４５０で作成された最寄駅候補を読み込み（Ｓ２１）、路線ＤＢ４２０を用いて、上記最寄駅候補から発着する路線を検索する（Ｓ２２）。
【００４２】
検出された路線の数をカウントし（Ｓ２２）、検出された路線の数が１路線のみの場合、得られた路線名を路線情報として設定する（Ｓ２４）。但し、路線の上り下りは同一路線としてカウントする。また、検出された路線の数が２路線以上の場合、検索された路線をリストとして作成し（Ｓ２５）、路線リストを携帯情報端末１００上に表示させ、利用者に路線リストから路線の選択を促す（Ｓ２６）。この時、携帯情報端末１００上に表示される路線リストの選択画面を図１０に示す。利用者によって、路線リストから選択された路線を路線情報として設定する（Ｓ２７）。
【００４３】
図６に「路線進行方向駅名取得手段」４７０における処理アルゴリズムを示す。
【００４４】
「路線進行方向駅名取得手段」４７０では、「最寄駅抽出手段」４５０で作成された最寄駅候補と、「路線抽出手段」４６０で作成された路線情報と、入場駅情報４３０に保存されている入場駅名と、位置情報を読み込み（Ｓ３１）、まず最寄駅候補の中から路線情報となる路線上に存在しない駅を候補から外す（Ｓ３２）。次に、最寄駅候補＝入場駅となるものがあれば候補から外す（Ｓ３３）。
【００４５】
残った最寄駅候補の数をカウントし（Ｓ３４）、残った最寄駅候補の数が０個の場合、入場駅の駅名を進行方向の駅名として設定する（Ｓ３５）。
【００４６】
残った最寄駅候補の数が１個の場合、この最寄駅候補を最寄駅として設定し、路線ＤＢ３２０を用いて、入場駅と最寄駅間において移動時間が一番短くなる経路を作成する（Ｓ３６）。経路作成時の注意として、この時に急行、快速、特急の利用を考えてはならない。理由としては、移動時間と路線の長さが一様に比例しなくなるからである。前記経路から、路線に対する進行方向を判定し、最寄駅を含む最寄駅から先の駅名を進行方向の駅名として取得する（Ｓ３８）。この時、取得する進行方向の駅名の数は、ユーザが任意に指定できるものとする。
【００４７】
残った最寄駅候補の数が２個以上の場合、地図ＤＢ３１０を用いて、現在の位置情報から一番距離が近い最寄駅候補を最寄駅として設定し、路線ＤＢ３２０を用いて、入場駅と最寄駅間において移動時間が一番短くなる経路を作成する（Ｓ３７）。経路作成の際の注意としては、（Ｓ３６）と同様に、急行、快速、特急の利用を考えてはならない。前記経路から、路線進行方向を判定し、最寄駅を含む進行方向の駅名を取得する（Ｓ３９）。取得する進行方向の駅の数は、（Ｓ３８）と同様に、ユーザが任意に指定できるものとする。
【００４８】
図７、図８に、本発明のサービス検索利用時の異なる利用形態を説明する。図７に、信号の流れを示す。図２では、改札通過時に入場駅名がコンテンツ配信サーバ４００に送信され、入場駅情報４３０に保持されていたのに対し、図７では、携帯情報端末１００のメモリ１１５に保持される点が異なる。
【００４９】
この利点としては、情報携帯端末１００に入場駅情報を保持することによって、改札機とコンテンツ配信サーバ４００が直接接続されていない場合でも、本サービスを実現することができる。
【００５０】
図８に、処理の流れを示す。図３では、利用者が駅構内への入場時に自動改札機２００を通過する際、自動改札機２００からコンテンツ配信サーバ４００に入場駅情報を送信し、コンテンツ配信サーバ４００の入場駅情報４３０に保存されるのに対し、図８では、利用者が駅構内への入場時に自動改札機２００を通過する際、自動改札機２００から携帯情報端末１００に入場駅情報が送信され、携帯情報端末１００のメモリ１１５に保持される。サービス要求時には、携帯情報端末１００から入場駅情報をサービスＩＤと併せて、コンテンツ配信サーバ４００に送信する点が異なる。
【００５１】
図９に、利用者がサービス情報検索システムを利用する際に、携帯情報端末１００に表示される検索条件入力画面を示す。利用者は図中に表示されたボックス６０１の中から所望のサービス内容を選択、もしくはボックス６０１内に入力し、サービス検索ボタン６０２を押すことによって、入力された検索条件をサービスＩＤとして、コンテンツ配信サーバ４００に送信する。
【００５２】
図１０に、図５の路線抽出手段４６０の処理において、検索された路線の数が２路線以上ある場合、携帯情報端末１００に表示される路線情報の設定画面を示す。路線リスト表示７０１では、検索された路線の名前をすべて表示する。利用者は、路線リスト表示７０１の中から、現在の路線を選択し、路線指定ボタン７０２を押すことによって、選択された路線名を路線情報として、コンテンツ配信サーバに送信する。
【００５３】
図１１に、コンテンツ配信サーバ４００で作成された、サービス一覧の表示画面（８００）を示す。なお、一覧される情報の数が多い場合には、画面切り替えやスクロール等の利用者に見やすい表示方法への切り替えを可能とする。
【００５４】
以上、本発明の好適な実施の形態について説明したが、上記で言及した以外にも種々の変形、変更が可能である。
【００５５】
上記サービス情報検索システムでは、コンテンツ配信サーバ４００内に地図ＤＢ４１０、経路ＤＢ４２０を持たせたが、携帯情報端末１００の記憶容量が許せば、地図ＤＢ４１０、経路ＤＢ４２０を携帯情報端末１００内に保持し、サービス情報ＤＢ４４０に関する情報のみコンテンツ配信サーバ４００にアクセスすることで、コンテンツの作成を行ってもよい。これによってサーバ側の負荷が削減される為、サーバ側での検索時間が短くなると考えられる。
【００５６】
また、コンテンツ配信サーバ４００内に地図ＤＢ４１０、路線ＤＢ４２０、入場情報駅情報４３０、サービス情報ＤＢ４４０を保持するとしているが、これらのデータをコンテンツ配信サーバ４００や携帯情報端末１００以外の外部システムからコンテンツ配信サーバ４００に取得する方法も考えられる。
【００５７】
また、利用者の位置情報については、コンテンツ配信サーバ４００が外部の位置情報取得装置３００に問い合わせる方法を例として記述したが、携帯情報端末１００内に位置情報取得装置３００を保持し、携帯情報端末１００からコンテンツ配信サーバ４００に位置情報を送信する方式をとっても良い。この方法は、現在市販されているＧＰＳ携帯電話を用いれば、実現可能であると考える。
【００５８】
また、コンテンツ配信サーバ４００から取得したサービス一覧情報をメモリ１１５に保持しておき、同じ検索条件のサービス検索を行う場合には、コンテンツ配信サーバ４００へのアクセスを行わずにメモリ１１５から読み出すようにしても良い。これにより、処理時間の短縮および通信費用の節約が可能になる。
【００５９】
また、サービス情報ＤＢ４４０から駅周辺のサービス情報を検索する際に、サービスＩＤ以外の検索条件の追加に関しては何も触れなかったが、予算金額の情報や店舗の営業時間等の情報を用いて、検索に制限をかけることも可能である。但し、これらの検索条件の追加を行えるだけの情報は、予めサービス情報ＤＢ４４０に保存されているものとする。
【００６０】
また、上記サービス情報検索システムは、鉄道路線上の駅周辺での案内のみについて説明したが、航空機やバスなどの他の交通機関にある停留所や停車場所をサービス検索の対象としてもよい。
【００６１】
【発明の効果】
本発明によれば、入場駅情報と現在位置情報とコンテンツ配信サーバ内の各種ＤＢを用いて、路線進行方向の駅情報を抽出することで、サービス検索時の利用者の駅名を入力する手間を省くことができる。また、改札の通過を契機として入場駅情報を取得し、自動改札を通過したところで携帯情報端末において、その現在位置と合わせて路線リストを作成し、利用者が路線を選択することで、路線に対する進行方向を判定し、進行方向にある複数個の駅における、駅周辺のサービス検索を一回の入力で行うことが可能となる。その結果、利用者の利便を図ることができ、サービス検索を行う事業者にとっても、サービスの利用者および利用回数の増大を図ることができる。
【図面の簡単な説明】
【図１】本実施例の概要を示す図。
【図２】本実施例におけるシステムの構成を示す図。
【図３】本実施例における処理フローを示す図。
【図４】本実施例における最寄駅抽出手段の処理アルゴリズムを示す図。
【図５】本実施例における経路抽出手段の処理アルゴリズムを示す図。
【図６】本実施例における路線進行方向駅名取得手段の処理アルゴリズムを示す図。
【図７】本実施例におけるシステムの構成の変形例を示す図。
【図８】本実施例における処理フローの変形例を示す図。
【図９】本実施例における検索条件入力の画面インターフェースの一例を示す図。
【図１０】本実施例における路線情報設定の画面インターフェースの一例を示す図。
【図１１】本実施例におけるサービス一覧表示の画面インターフェースの一例を示す図。
【符号の説明】
１００…携帯情報端末、１１０…携帯電話部分、１１５…メモリ、１１６…入力装置、１１７…出力装置、１２０…非接触ＩＣカード、２００…自動改札機、３００…位置情報取得機器、４００…コンテンツ配信サーバ、４１０…地図ＤＢ、４２０…路線ＤＢ、４３０…入場駅情報、４４０…サービス情報ＤＢ、４５０…最寄駅抽出手段、４６０…路線抽出手段、４７０…路線進行方向駅名取得手段、４８０…コンテンツ作成手段、５００…携帯電話無線基地局。
【図１】
2004322942.tif 000003
【図２】
2004322942.tif 000004
【図３】
2004322942.tif 000005
【図４】
2004322942.tif 000006
【図５】
2004322942.tif 000007
【図６】
2004322942.tif 000008
【図７】
2004322942.tif 000009
【図８】
2004322942.tif 000010
【図９】
2004322942.tif 000011
【図１０】
2004322942.tif 000012
【図１１】
2004322942.tif 000013